(57)【要約】      （修正有）【課題】ケースに詰込まれた商品が移送途中で抜き取られたり、摩り替えられたりしたとき、それが直ちに判明し、不正開封を防止したケースを提供する。【解決手段】第一片至第四片１１から１４と折り畳み線ａからｄを介して連設し、各片の折り畳み線ｅからｈを介して第一至第四底フラップ２１から２４を、各片の折り畳み線ｉからｌを介して第一至第四蓋フラップ３１から３４をそれぞれ連設する函体１０において、第二蓋フラップ３２の折り畳み線ｊ寄りに、曲折部Ｓ'を形成したスリットＳを穿設し、第四蓋フラップ３４の上縁に、第二蓋フラップ３２に設けたスリットＳに両端を折り曲げて嵌り、嵌ると折り曲げ部Ｔ'が差込み片Ｔを、線ｍを介して連設し、第四蓋フラップ３４の線ｍに沿ってジッパーＪを形成し、第一、第三蓋フラップ３１，３３の第二蓋フラップ３２に向き合う側縁に差込み片Ｔの折り曲げ部Ｔ'を受け入れる刳り抜き部Ｕを設けてなる。【選択図】図１
2005096857.tif 000002
【特許請求の範囲】
【請求項１】
展開形状が、函体の側壁を形成する第一片乃至第四片を互いに折り畳み線を介して連設し、上記各片の、下縁に折り畳み線を介して第一乃至第四底フラップを、上縁に折り畳み線を介して第一乃至第四蓋フラップをそれぞれ連設してなる函体において、対向位置にある蓋フラップの片方の折り畳み線寄りに、両端を折り曲げたスリットを穿設し、他方の蓋フラップの上縁に、上記両端を折り曲げたスリットに両端を折り曲げて嵌り、嵌ると両端の折り曲げ部が戻る差込み片を、折り畳み線を介して連設し、他方の蓋フラップに連設する側壁片または差込み片側にジッパーを形成し、上記差し込み片と両端折り曲げスリットを設けない他の蓋フラップの、片方蓋フラップの側縁に向き合う部分に差込み片の折り曲げを受け入れる刳り抜き部を設けたことを特徴とする不正開封防止ケース。
【請求項２】
上記両端を折り曲げたスリットは、その中央部が側壁片と蓋フラップ間の折り畳み線に沿い、両端が片方の蓋フラップ側に曲折し、他方の蓋フラップの高さＨ1を差し込み片と両端折り曲げスリットを設けない蓋フラップに連接する側壁の幅Ｗ1と同一としたことを特徴とする請求項１に記載の不正開封防止ケース。
【請求項３】
上記両端を折り曲げたスリットは、その中央部が折り畳み線から離れた平行線上にあり、両端が折り畳み線側に曲折し、他方の蓋フラップの高さＨ2は片方の蓋フラップの上端縁から上記スリットの中央部までの長さＬと同一としたことを特徴とする請求項１に記載の不正開封防止ケース。
【請求項４】
上記函体の側壁を形成する第四片の端縁に、折り畳み線を介して糊代片を連設したことを特徴とする請求項１乃至３のいずれかに記載の不正開封防止ケース。
【請求項５】
上記第一乃至第四底フラップの高さは、第一、第三片の幅の１／２としたことを特徴とする請求項１乃至４のいずれかに記載の不正開封防止ケース。
【請求項６】
側壁を構成する第一乃至第四片を互いに折り畳み線を介して連設し、上記各片の、下縁に底フラップを折り畳み線介して連設し、上縁に折り畳み線を介して蓋フラップを連設してなる函体において、対向位置にある蓋フラップの片方の上縁寄りに、底辺が下記条件に適合し、低い横長の二等辺台形で、その上辺と斜辺が折り畳み線となり、上記二等片台形の底辺と上辺両端から下ろされた垂線に沿ってスリットを穿設し、他方の蓋フラップの折り畳み線から上縁までの高さが下記条件に適合し、上縁に沿ってジッパーを介し、両端に切り込みを入れて差込み片を付設してなることを特徴とする不正開封防止ケース。
記
Ｗ2Ｂ＋Ｈ3
ただし、
Ｂは、第二蓋フラップの折り畳み線から二等辺台形の底辺までの長さ
Ｈ3は、第四蓋フラップの折り畳み線から差込み片の切り込みまでの高さ
Ｗ2は、第三辺の幅
【請求項７】
上記切り込みの長さは、上記スリットの二等辺台形の上辺両端から下ろした垂線と底辺との交点から底辺端までの長さと同一または僅かに長くしたことを特徴とする請求項６に記載の不正開封防止ケース。
【請求項８】
上記底フラップを、箱起こしをするとき自動的の底を形成する自動閉塞形底フラップとしたことを特徴とする請求項６または７に記載の不正開封防止ケース。
【請求項９】
上記不正開封防止ケースの素材を、紙段ボール、プラスチック段ボール、紙・プラスチック併用段ボール、ボール紙、発泡プラスチックボード、発泡プラスチックの少なくとも片面にプラスチックフィルムをラミネートしたボードの中から選択したことを特徴とする請求項１乃至８のいずれかに記載の不正開封防止ケース。
【発明の詳細な説明】
【技術分野】
【０００１】
この発明は、収容した商品が移送中に抜き取り、摩り替えが行われないようにし、もしこのようなことが行われた場合には、直ちにそれが判明するようにした不正開封防止ケースに関する。
【背景技術】
【０００２】
段ボール函の従来例として図７に示すように側壁の第二片４２に連設した下蓋６２の折り畳み線ｊ’に沿って両端を曲折したスリットＳを設け、上記下蓋に重なる上蓋６４の揺動端に、両端を折り曲げ部Ｔ’とした差込み片Ｔを連設し、この差込み片Ｔを上記スリットＳに差込み、差し込んだ後、上記差込み片Ｔの両端の折り曲げ部Ｔ’が戻って嵌め殺しとするものがある。
【０００３】
この段ボール函は、上記差込み片Ｔを差し込んだ折り曲げ部Ｔ’が位置する側壁形成の第二片４２にＣおよび逆Ｃ形のハーフカット、またはミシン目を入れて、その部分を強く押し込むと、指を差し込む孔Ｈが開くようにし、この孔Ｈに図７（ｂ）に示すように指を差し込みながら折り曲げ部Ｔ’を押し、上蓋６４を開けることができるようになっている。
【０００４】
上記段ボール函では輸送の途中などで、上記のように上蓋６４を開けて詰込まれて商品を抜き取り、あるいは粗悪品と摩り替えたりし、その後、該孔Ｈの部分を元に戻して偽装工作をされると不正開封が行われたことが判明し難いという問題がある。
【発明の開示】
【発明が解決しようとする課題】
【０００５】
この発明は上記問題に鑑み、函体に詰込まれた商品が輸送中に抜き取られたり、摩り替えられたりするのを防止し、もし不正に開封されたとき直ちにそれを判別できる不正開封防止ケースを提供することを課題とする。
【課題を解決するための手段】
【０００６】
上記課題を解決するためにこの発明は、展開形状が、函体の側壁を形成する第一片乃至第四片を互いに折り畳み線を介して連設し、上記各片の、下縁に折り畳み線を介して第一乃至第四底フラップを、上縁に折り畳み線を介して第一乃至第四蓋フラップをそれぞれ連設してなる函体において、対向位置にある蓋フラップの片方の折り畳み線寄りに、両端を折り曲げたスリットを穿設し、他方の蓋フラップの上縁に、上記両端を折り曲げたスリットに両端を折り曲げて嵌り、嵌ると両端の折り曲げ部が戻る差込み片を、折り畳み線を介して連設し、他方の蓋フラップに連設する側壁片または差込み片側にジッパーを形成し、上記差し込み片と両端折り曲げスリットを設けない他の蓋フラップの、片方蓋フラップの側縁に向き合う部分に差込み片の折り曲げを受け入れる刳り抜き部を設けてなる（請求項１）ものと、
【０００７】
側壁を構成する第一乃至第四片を互いに折り畳み線を介して連設し、上記各片の、下縁に底フラップを折り畳み線介して連設し、上縁に折り畳み線を介して蓋フラップを連設してなる函体において、対向位置にある蓋フラップの片方の上縁寄りに、底辺が下記条件に適合し、低い横長の二等辺台形で、その上辺と斜辺が折り畳み線となり、上記二等片台形の底辺と上辺両端から下ろされた垂線に沿ってスリットを穿設し、他方の蓋フラップの折り畳み線から上縁までの高さが下記条件に適合し、上縁に沿ってジッパーを介し、両端に切り込みを入れて差込み片を付設してなる(請求項６）ものである。
記
Ｗ2Ｂ＋Ｈ3
ただし、
Ｂは、第二蓋フラップの折り畳み線から二等辺台形の底辺までの長さ
Ｈ3は、第四蓋フラップの折り畳み線から差込み片の切り込みまでの高さ
Ｗ2は、第三辺の幅
【発明の効果】
【０００８】
上記の如く構成するこの発明によれば、ケースに商品を詰込み、蓋をすると嵌め殺しになるので、ジッパーを引き裂かなければ開封することができない。従って詰込まれた商品を抜き取ったり、摩り替えたりするにはジッパーを引き裂かねばならないので、不正開封が行われたときは瞬時に判明する。
【０００９】
また、請求項６のものでは、差し込み片の両端を折り曲げないで二等片台形の底辺と上辺の両端から下ろされた垂線に沿って形成されたスリットに差し込むことにより嵌め殺しとなって包装動作を簡略化できる。
【発明を実施するための最良の形態】
【００１０】
次にこの発明の第一実施形態を図１および図２を参照しながら説明する。函体１０の側壁を形成する第一片乃至第四片１１，１２，１３，１４および糊代片１５は、折り畳み線ａ，ｂ，ｃ，ｄを介して連設され、それぞれの下縁に第一乃至第四底フラップ２１，２２，２３，２４が折り畳み線ｅ，ｆ，ｇ，ｈを介して連設され、それぞれの上縁に第一乃至第四蓋フラップ３１，３２，３３，３４が折り畳み線ｉ，ｊ，ｋ，ｌを介して連設されている。
【００１１】
上記第二蓋フラップ３２には、折り畳み線ｊに沿って両端を上向きに曲折Ｓ’したスリットＳが穿設され、第四蓋フラップ３４の上縁（折り畳み線ｍの）下側にジッパーＪが、上縁上側に上記スリットＳに嵌り切り込みｎを入れて両端に折り曲げ部Ｔ’を形成した差込み片Ｔが折り畳み線ｍを介して付設されている。なお、上記切り込みｎの長さは上記曲折Ｓ’と同一か僅かに長くする。なお、第四蓋フラップの高さは第三側壁片の幅Ｗ１と同一とする。
【００１２】
第一、第三蓋フラップ３１，３３の第二蓋フラップに向く側縁には上記差込み片の折り曲げ部Ｔ’を受け入れるための刳り抜きＵが形成され、各フラップが隣接する部分には折り畳みを容易にするための隙間ｏが設けられている。
【００１３】
上記のような展開形状に段ボールを裁断して組立てて商品を詰込み、折り曲げ部Ｔ’を折り曲げながら差込み片ＴをスリットＳに差し込むと図２（ａ）に示すように折り曲げ部Ｔ’が戻って嵌め殺しとなる。
【００１４】
従って、詰込まれた商品を抜き取り、あるいは摩り替えるには図２（ｂ）のようにジッパーＪを引裂かねばならず、不正に開封されたことが一目瞭然となる。
【００１５】
図３は、第一実施形態の変形例で、ジッパーＪの位置を折り畳み線ｌ側に移動したもので、その他の部分は第一実施形態と同様である。
【００１６】
図４は第二実施形態で第一実施形態との相違は、スリットＳが折り畳み線ｊから第二蓋フラップ３２内に平行移動し曲折部Ｓ’が下向きになっている点である。
【００１７】
また、第四蓋フラップの高さＨ2は第二蓋フラップの上縁からスリットＳの位置までの長さＬと同一となっており、その他の部分は第一実施形態と同様である。
【００１８】
図５、図６は第三実施形態で、側壁を構成する第一乃至第四片１１，１２，１３，１４は互いに折り畳み線ａ，ｂ，ｃを介して連設され、第四片１４の次に糊代片１５が折り畳み線ｄを介して連設されている。
【００１９】
第一乃至第四片１１〜１４の下縁には箱起こしをすると自動的に底を形成する自動閉塞底フラップ２１〜２４が折り畳み線ｅ，ｆ，ｇ，ｈを介して連設され、上縁には第一乃至第四蓋フラップ３１〜３４が折り畳み線ｉ，ｊ，ｋ，ｌを介して連設され、各蓋フラップの境界には隙間ｏが形成されている。
【００２０】
第二蓋フラップ３２の上縁は緩やかな円弧Ｒを描き、この上縁寄りに低い横長の二等辺台形で、上辺と斜辺が折り畳み線ｐ、底辺と上辺の両端から垂線を降ろした状態のスリットＳ1を穿設している。
【００２１】
第四蓋フラップ３４の上縁（折り畳み線ｍの）下側にジッパーＪが、上縁上側に上記スリットＳ1に切り込みｎを入れた差込み片Ｔが折り畳み線ｍを介して付設されている。なお、上記切り込みｎの長さは、上記スリットＳ1の等辺台形の上辺両端から垂線を下ろした点から端までの長さと同一または僅かに長くする。なお、第四蓋フラップの高さＨ3は第三側壁片の幅Ｗ2の１／２とする。
【００２２】
段ボールを展開形状に裁断したブランクの底フラップ２１〜２４の要所に両面接着テープを貼り、箱起こしをして商品を詰込み、第一，第三蓋フラップ３１，３３を倒し、次いで第二蓋フラップ３２を倒してスリットＳ1に第四蓋フラップ３４の差し込み片Ｔを差し込む、このとき第二蓋フラップ３２の下には第一第三蓋フラップ３１，３３が存在するので差し込み片Ｔは、第一第三蓋フラップ３１，３３と第二蓋フラップ３２との重なりを押し広げて滑り込むため、スリットＳ1の両端と切り込みｎを入れた差し込み片Ｔの両端が互いに引っかかり合って嵌め殺し状態(図６（ａ）参照）になる。
【００２３】
また、このケースから商品を取り出すには、図６（ｂ）に示すように第四蓋フラップ３４のジッパーＪを引き上げることにより開梱される。従って、開梱すると二度と元通りにはならず、もし不正開梱をした場合は瞬時に判明する。
【００２４】
なお、上記各実施形態では、差し込み片を第四蓋フラップに、スリットを第二蓋フラップに設けたが、第三、第四蓋フラップに設けるように入れ替えることもできる。
【図面の簡単な説明】
【００２５】
【図１】第一実施形態の展開図
【図２】同斜視図で（ａ）はケースに商品を詰込んだ状態を示す、（ｂ）は開封した状態を示す
【図３】第一実施形態のジッパーを移動したところの部分図
【図４】第二実施形態の展開図
【図５】第三実施形態の展開図
【図６】第三実施形態の商品梱包状態で、（ａ）梱包完了状態を示す図、（ｂ）開梱した状態を示す図
【図７】従来例の（ａ）は梱包状態図、（ｂ）開封説明図
【符号の説明】
【００２６】
１０  函体
１１  第１片
１２  第二片
１３  第三片
１４  第四片
１５  糊代片
２１  第一底フラップ
２２  第二底フラップ
２３  第三底フラップ
２４  第四底フラップ
３１  第一蓋フラップ
３２  第二蓋フラップ
３３  第三蓋フラップ
３４  第四蓋フラップ
ａ，ｂ，ｃ，ｄ，ｅ，ｆ，ｇ，ｈ，ｉ，ｊ，ｋ，ｌ，ｍ，ｐ  折り畳み線
ｎ  切り込み
ｏ  隙間
Ｈ1，Ｈ2，Ｈ3  第四蓋フラップの高さ
Ｊ  ジッパー
Ｌ  第二蓋フラップ上縁−スリット間の長さ
Ｒ  円弧
Ｓ，Ｓ1  スリット
Ｓ’  曲折部
Ｔ  差込み片
Ｔ’  折り曲げ部
Ｕ  刳り抜き部
Ｗ1，Ｗ2  第三側壁片の幅
【図１】
2005096857.tif 000003
【図２】
2005096857.tif 000004
【図３】
2005096857.tif 000005
【図４】
2005096857.tif 000006
【図５】
2005096857.tif 000007
【図６】
2005096857.tif 000008
【図７】
2005096857.tif 000009